(57)【要約】【課題】有価価値の精算に際し、不正行為が行われるのを抑制でき、また、店員及びユーザ間におけるトラブルの発生を抑制することができる精算管理システムの提供。【解決手段】精算装置１及び精算情報管理装置２を備え、精算装置１及び精算情報管理装置２間がオンライン状態の場合であり、有価価値情報が記録されたカードＣが、使用期限内のカードである場合、精算を行う自遊技店にて遊技に使用されているカードである場合、自遊技店にて発行されたカードである場合、又は、自遊技店にて有価価値情報が追加記録されたカードである場合に、前記カードＣを精算の対象とする機能を備えている。【選択図】図１
2006061725.tif 000002
【特許請求の範囲】
【請求項１】
遊技機にて遊技に用いることができ、可搬型記録媒体に記録された有価価値の精算を行う精算装置と、該精算装置との間にて通信可能に接続され、前記精算に係る精算情報を記憶する精算情報記憶装置とを用い、前記有価価値の精算を管理する精算管理システムであって、
前記可搬型記録媒体の発行に係る情報、又は、前記可搬型記録媒体への有価価値情報の記録に係る情報を記憶して管理する管理手段を備え、
前記精算装置は、
前記可搬型記録媒体を識別する識別情報、及び前記可搬型記録媒体に記録された有価価値情報を受け付ける手段と、前記管理手段により前記発行に係る情報を管理されることなく発行された可搬型記録媒体、又は、前記管理手段により前記記録に係る情報を管理されることなく有価価値情報が記録された可搬型記録媒体であることを示す、可搬型記録媒体に記録された未管理情報を受け付ける手段と、前記精算情報記憶装置との間にて通信可能に接続されていない場合であって、前記未管理情報を受け付けた場合に、有価価値の精算を行うべく受け付けた有価価値情報を書き換える手段と、前記識別情報及び精算情報を前記精算情報記憶装置へ送信する手段とを備え、
前記精算情報記憶装置は、
前記識別情報及び精算情報を受信する手段と、受信した識別情報に関連付けて前記精算情報を記憶する手段とを備える
ことを特徴とする精算管理システム。
【請求項２】
外部装置との間にて通信可能に接続する手段を備え、遊技機にて遊技に用いることができ可搬型記録媒体に記録された有価価値の精算を行う精算装置において、
前記可搬型記録媒体を識別する識別情報、及び前記可搬型記録媒体に記録された有価価値情報を受け付ける手段と、前記可搬型記録媒体の発行に係る情報を管理されることなく発行された可搬型記録媒体、又は、前記可搬型記録媒体への有価価値情報の記録に係る情報を管理されることなく有価価値情報が記録された可搬型記録媒体であることを示す、可搬型記録媒体に記録された未管理情報を受け付ける手段と、前記外部装置との間にて通信可能に接続されていない場合であって、前記未管理情報を受け付けた場合に、有価価値の精算を行うべく受け付けた有価価値情報を書き換える手段と、前記識別情報及び前記精算に係る精算情報を前記外部装置へ送信する手段とを備えることを特徴とする精算装置。
【発明の詳細な説明】
【技術分野】
【０００１】
本発明は、遊技店に設置された遊技機にて遊技に用いることができる有価価値、特に、可搬型記録媒体に記録された有価価値情報が示す有価価値を精算するための精算管理システム、及び該システムに用いる精算装置に関するものである。
【背景技術】
【０００２】
従来、特にパチンコなどの遊技機を取り扱う遊技店において、遊技に現金（有価価値）を使用する機会を極力省く、いわゆるキャッシュレス化が図られており、ユーザが遊技を行う場合、遊技店内に設置されたカード発行機にて発行された有価価値が記録された磁気カード等の記録媒体をプリペイドカード（以下、カードという）として用いている。また、磁気カードに比してより多くの情報を記録するために、半導体メモリを備えたＩＣカード等のカードを用いるシステムも構築されるようになっている。
【０００３】
前述したシステムにおいてカードに記録された有価価値を精算する場合、遊技店等に設置された精算装置を用いて精算する。例えば、カードは精算装置が有する挿入口へ挿入され、精算装置はカードに記録されている有価価値の数値に関する有価価値情報を読み込んで取得する。取得した有価価値情報が示す数値の有価価値をユーザへ排出すると共に、カードへは数値が０を示す有価価値情報を記録して精算装置が内蔵する収納ボックスへカードを回収する。
【発明の開示】
【発明が解決しようとする課題】
【０００４】
ところで、前述した精算装置の場合、偽造カード等を用いた不正を目的とする精算行為の発生が問題となる。即ち、それぞれのカード毎に精算に係る精算情報を管理しなければ偽造カード等の不正カードの検出ができず、精算において不正行為が行われる可能性がある。また、カードの使用状況及び有価価値の使用状況を遊技店側が的確に把握する上でも精算情報をデータベース等にて管理することが必要である。
【０００５】
また、自遊技店以外にて遊技されたカード，発行されたカード等には、不正な処理が施されている可能性が少なからず存在し、セキュリティを確保するためには自遊技店にて遊技され、発行されたカードのみを精算の対象とすることが望ましい。
【０００６】
また、従来の精算装置ではカードに記録された有価価値のうち一部のみの精算をすることができず、更に、精算可能な有価価値の数値の表示、及び、一部精算等によりカードに残された有価価値の数値の表示をすることにより、遊技店の店員等による精算額の確認を容易にする必要があった。
【０００７】
また、カードの製造又は発行からの使用期限、例えば使用期間限度又は入出金回数限度等に拘わらず精算を行った場合、カードの摩耗による記録内容の信頼性の低下に起因して、誤った数値の有価価値を精算する可能性がある。
【０００８】
また、遊技店が会員制を採用している場合、登録することによりユーザが所持可能な会員用カードは、不正が行われたときであっても所持するユーザを特定することが可能であるが、一般者用カードにおいて不正が施されたときはユーザを特定することが困難である。従って、不正が施されることを未然に防止するためには、精算することにより残高が無くなった一般者用のカードは回収することが望ましい。
【０００９】
更に、当日、自遊技店ではあるが、精算装置が精算情報を管理するデータベースとの間にてオフラインとなっている場合に、全ての精算行為の実行を不可とすることは問題がある。例えば、遊技店が閉店処理を行っている際、即ち精算装置及びデータベース間がオフライン時に誤って入店したユーザがカードを購入した場合、当日該カードにて遊技できないにも拘わらず精算することもできないという問題が生じる。
【００１０】
本発明は、上述したような事情に鑑みてなされたものであり、精算装置と、精算に係る精算情報を記憶する精算情報記憶装置とを備え、遊技店が閉店処理をしている際に発行又は追加入金等がされたカードに関しては、精算装置及び精算情報記憶装置の間がオフライン状態であっても精算の対象とすることにより、例えば、遊技店が閉店処理を行っている際、即ち精算装置及びデータベース間がオフライン時に誤って入店したユーザがカードを購入した場合、当日該カードにて遊技できないにも拘わらず精算することもできないという事態を回避することができる精算管理システム、及び該システムに用いる精算装置を提供することを目的とする。
【課題を解決するための手段】
【００１１】
第１発明に係る精算管理システムは、遊技機にて遊技に用いることができ、可搬型記録媒体に記録された有価価値の精算を行う精算装置と、該精算装置との間にて通信可能に接続され、前記精算に係る精算情報を記憶する精算情報記憶装置とを用い、前記有価価値の精算を管理する精算管理システムであって、前記可搬型記録媒体の発行に係る情報、又は、前記可搬型記録媒体への有価価値情報の記録に係る情報を記憶して管理する管理手段を備え、前記精算装置は、前記可搬型記録媒体を識別する識別情報、及び前記可搬型記録媒体に記録された有価価値情報を受け付ける手段と、前記管理手段により前記発行に係る情報を管理されることなく発行された可搬型記録媒体、又は、前記管理手段により前記記録に係る情報を管理されることなく有価価値情報が記録された可搬型記録媒体であることを示す、可搬型記録媒体に記録された未管理情報を受け付ける手段と、前記精算情報記憶装置との間にて通信可能に接続されていない場合であって、前記未管理情報を受け付けた場合に、有価価値の精算を行うべく受け付けた有価価値情報を書き換える手段と、前記識別情報及び精算情報を前記精算情報記憶装置へ送信する手段とを備え、前記精算情報記憶装置は、前記識別情報及び精算情報を受信する手段と、受信した識別情報に関連付けて前記精算情報を記憶する手段とを備えることを特徴とする。
【００１２】
第２発明に係る精算装置は、外部装置との間にて通信可能に接続する手段を備え、遊技機にて遊技に用いることができ可搬型記録媒体に記録された有価価値の精算を行う精算装置において、前記可搬型記録媒体を識別する識別情報、及び前記可搬型記録媒体に記録された有価価値情報を受け付ける手段と、前記可搬型記録媒体の発行に係る情報を管理されることなく発行された可搬型記録媒体、又は、前記可搬型記録媒体への有価価値情報の記録に係る情報を管理されることなく有価価値情報が記録された可搬型記録媒体であることを示す、可搬型記録媒体に記録された未管理情報を受け付ける手段と、前記外部装置との間にて通信可能に接続されていない場合であって、前記未管理情報を受け付けた場合に、有価価値の精算を行うべく受け付けた有価価値情報を書き換える手段と、前記識別情報及び前記精算に係る精算情報を前記外部装置へ送信する手段とを備えることを特徴とする。
【００１３】
本発明による場合は、精算装置及び精算情報記憶装置の間にて通信可能に接続されていない場合は、可搬型記録媒体に記録された未管理情報を受け付けた場合にのみ、精算を可能とすることにより、例えば、遊技店が閉店処理を行っている際、即ち精算装置及びデータベース間がオフライン時に誤って入店したユーザが可搬型記録媒体を購入した場合、当日該可搬型記録媒体にて遊技できないにも拘わらず精算することもできないという事態を回避することができる精算管理システム、及び該システムに用いる精算装置を実現することができる。
【発明の効果】
【００１４】
本発明による場合は、例えば、遊技店が閉店処理を行っている際、即ち精算装置及びデータベース間がオフライン時に誤って入店したユーザが可搬型記録媒体を購入した場合、当日該可搬型記録媒体にて遊技できないにも拘わらず精算することもできないという事態を回避することができる精算管理システム、及び該システムに用いる精算装置を実現することができる。
【発明を実施するための最良の形態】
【００１５】
以下、本発明をその実施の形態を示す図面に基づいて詳述する。
図１は、本発明に係る精算管理システムの実施の形態を示すブロック図である。図中１は本発明に係る精算装置であり、パチンコ店などの遊技店におけるユーザ及び店員が対面するカウンタ等に備え付けられている。前記精算装置１は、遊技店に多数設置されている遊技機にて遊技に用いることができる有価価値（現金、パチンコ玉等）を精算するための装置であり、前記有価価値に関する有価価値情報を記録するＩＣカード等の可搬型記録媒体であるカードＣの記録内容に基づき精算処理を行う。
【００１６】
また、精算装置１は精算情報記憶装置２との間にて、無線又は有線により通信可能に接続されている。精算情報記憶装置２は、精算装置１がカードＣの記録内容に基づき精算を実行するに際し、該カードＣが、不正な処理を施された不正カードでないかの判断、精算に関する種々の情報である精算情報を記録するなどして精算処理を管理するものである。
【００１７】
カードＣは、カード製造業者により予め有価価値情報を記録した状態で製造されたものを、遊技店内に設置されたカード発行機３にてユーザが取得できる他、遊技店にて会員制を導入している場合は、会員登録することにより取得することができる。また、取得したカードＣへは前記カード発行機３にて有価価値情報の追加記録、即ち追加入金をすることができる。なお、追加入金をカード発行機３にて行わず、例えば入金装置などの追加入金専用の装置にて行ってもよい。
【００１８】
カード発行機３は精算情報記憶装置２との間にて通信可能に接続されており、カード発行機３でのカードＣの発行、又はカードＣへの有価価値情報の追加記録に関する情報は、精算情報記憶装置２へ送信されて記憶され、管理される。なお、カード発行機３及び精算情報記憶装置２の間がオフライン状態であってもカードＣの発行、有価価値情報の追加記録は可能であり、この場合、カードＣへは未管理情報が記録される他、発行又は追加記録に関する情報は次回オンライン状態となった際に精算情報記憶装置２へ送信される。
【００１９】
図２は、本発明に係る精算装置１の実施の形態を示すブロック図である。精算装置１はＣＰＵ１００を備え、該ＣＰＵ１００は後述するＲＡＭ１０１，ハードディスク（ＨＤ）１０２，第１表示手段１０３，第２表示手段１０４，操作手段１０５，レシート出力手段１０６，通信手段１０７，カード取込手段１０８，カード排出手段１０９，カード回収手段１１０，リーダ／ライタ１１１及び補助記憶手段１１２等の動作を制御する。
【００２０】
ＲＡＭ１０１は、ＳＲＡＭ，フラッシュメモリ等で構成されており、ＣＰＵ１００での演算処理中に発生する一時的なデータを記憶する他、通信手段１０７を介して送受信されるデータ等を記憶する。
【００２１】
第１表示手段１０３は、カウンタ等に設置された精算装置１においてユーザ側に位置し、第２表示手段１０４は店員側に位置しており、第１表示手段１０３及び第２表示手段１０４は共に、カード取込手段１０８にて取り込まれてリーダ／ライタ１１１にて読み込まれた有価価値情報が示す数値、精算後にカードＣに残された有価価値の数値などを表示する。この他、第２表示手段１０４は、カードＣに関する不正判断の結果であるエラー情報等、前記精算情報記憶装置２から通信手段１０７を介して受信した種々の情報を表示する。
【００２２】
操作手段１０５は、カードＣに記録されている有価価値情報のうち精算可能な最小数値を下回る端数の表示、全精算又は一部精算の実行、精算する有価価値の数値の入力、カード排出手段１０９によるカードＣの排出、レシート出力手段１０６によるレシートの出力など、店員が行う各種の指示を入力するためのものであり、押下可能なボタン、又は液晶ディスプレイを用いたタッチパネルなどで構成されている。
【００２３】
レシート出力手段１０６は精算装置１における店員側に設けられており、精算を実行するに際し、精算した有価価値の数値、精算日時、カードＣを識別するカードＩＤ、カードＣでの有価価値の記録に関する履歴情報など、種々の情報を紙面に印字等して出力するものである。
【００２４】
通信手段１０７は、無線又は有線にて精算情報記憶装置２との間で通信可能に接続するための通信インタフェースであり、通信手段１０７を介して種々の情報が送受信され、受信した情報はＲＡＭ１０１に記録される。
【００２５】
カード取込手段１０８は、精算に係る有価価値情報を記録するカードＣを取り込むためのものであり、また、カード排出手段１０９は精算後のカードＣを排出するためのものである。なお、前記カード取込手段１０８及びカード排出手段１０９は、精算装置１におけるカードＣの取込口，排出口を共通とし、カードＣを取り込む機構，排出する機構を共通としても良い。
【００２６】
また、会員制を導入している遊技店では、精算後に残高を有する一般者用及び会員用のカードＣ、又は精算後に残高を有しない会員用のカードＣを排出する。
【００２７】
カード回収手段１１０は、精算後のカードＣを精算装置１に内蔵又は外付けされたカード回収ボックス等へ回収するためのものであり、精算後に残高を有しない一般者用のカードＣを回収する。また、精算に際しカード取込手段１０８により取り込んだカードＣに不正が存在すると判断された場合にも、カード回収ボックスへ回収することができる。
【００２８】
リーダ／ライタ１１１は、カード取込手段１０８により取り込んだカードＣに記録されている、有価価値情報，カードＩＤ等の種々の情報を読み込み、また、精算を実行する場合に有価価値情報を精算後の残高に相当する残高情報に書き換えるためのものである。
【００２９】
補助記憶手段１１２は、精算装置１を実現するためのコンピュータプログラムが記録されたＣＤ−ＲＯＭ等の記録媒体ＲＥＣから記録内容を読み込むためのＣＤ−ＲＯＭドライブ等であり、補助記憶手段１１２により読み込まれたデータはＨＤ１０２に記録される。
【００３０】
図３は、精算情報記憶装置２の実施の形態を示すブロック図である。精算情報記憶装置２はＣＰＵ２０を備え、該ＣＰＵ２０は、後述するＲＡＭ２１，ＲＯＭ２２，通信手段２３の動作を制御する。
【００３１】
ＲＡＭ２１は、ＳＲＡＭ，フラッシュメモリ等で構成されており、ＣＰＵ２０での演算処理中に発生する一時的なデータを記憶する他、通信手段２３を介して送受信されるデータ等を記憶する。
【００３２】
ＲＯＭ２２は、マスクＲＯＭ又はＰＲＯＭで構成されており、精算装置１のリーダ／ライタ１１１にて読み込まれたカードＣの記録内容、及び後述するカードＩＤデータベース２４に記録されているカードＣを識別するためのカードＩＤに基づき、精算に係るカードＣを識別するカード識別プログラム２２ａ、精算に係るカードＣに不正処理が施されていないか判断する不正判断プログラム２２ｂなど、種々のプログラムが格納されている。
【００３３】
通信手段２３は、無線又は有線にて精算装置１との間にて通信可能に接続するための通信インタフェースであり、通信手段２３を介して種々の情報が送受信される。
【００３４】
また、精算情報記憶装置２はカードＩＤデータベース２４及び精算情報データベース２５を備えている。カードＩＤデータベース２４は、カードＣに付された識別情報であるカードＩＤに関する情報を格納するデータベースであり、前記カードＩＤには、カードＣが会員用であるか一般者用であるか等を示す情報である対象者情報が含まれている。また、精算情報データベース２５は、精算装置１での有価価値の精算に際する種々の情報、例えば、精算した有価価値の数値，精算日時，カードＩＤ，カードＣでの有価価値の記録に関する履歴情報などを格納するデータベースである。
【００３５】
次に、上述した構成をなす精算管理システムの動作について、図４乃至７に示すフローチャートを用いて説明する。ユーザは、遊技後等に有価価値を精算する場合、遊技店の受け付けにて店員へ、有価価値に関する第１有価価値情報を記録しているカードＣを手渡す。店員は手渡されたカードＣを精算装置１の取込口へ挿入する。
【００３６】
精算装置１はカード取込手段１０８により、前記カードＣを取り込み（Ｓ１）、取り込んだカードＣに記録されている第１カード情報を、リーダ／ライタ１１１により読み込む（Ｓ２）。なお、リーダ／ライタ１１１により読み込まれる第１カード情報は種々の情報を含んでおり、有価価値の数値に関する第１有価価値情報、カードＣを識別するカードＩＤ、カードＣの使用期限を示す期限情報、カードＣを遊技機にて使用した遊技店に関する第１遊技店情報、発行，追加記録が行われた遊技店に関する第２遊技店情報等を含んでいる。
【００３７】
ステップ２にてリーダ／ライタ１１１により読み込まれた第１カード情報のうち、第１有価価値情報が示す有価価値において精算可能な有価価値の数値（金額，度数など）は、第１表示手段１０３及び第２表示手段１０４にて表示される（Ｓ３）。更に、精算装置１での精算が可能である最低数値の設定、例えば１００円未満は精算対象としない設定がされている場合には、操作手段１０５にて１００円未満の端数を表示すべき旨の指示が入力された場合（Ｓ４）であって、カードＣに係る第１有価価値情報が端数を含んでいる場合は、第１表示手段１０３及び第２表示手段１０４にて端数表示を行う（Ｓ５）。
【００３８】
次に精算装置１は、通信手段１０７を介して精算情報記憶装置２との間にて通信可能（オンライン）となっているか否かを判断し（Ｓ６）、オンライン状態であれば、期限情報に基づきカードＣが使用期限を超過していないかどうかを判断する（Ｓ７）。使用期限としては、カードＣの製造又は発行からの年月に精算に係る有効期限を設定し、期限情報が示す製造日又は発行日と、現精算日とを比較することにより使用期限を超過していないかどうかを判断する。また、カードＣへの有価価値情報の記録回数に限度回数を設け、該限度回数を超過している場合に使用期限を超過していると判断してもよい。
【００３９】
ステップ７にてカードＣが使用期限を超過していないと判断した場合、第１遊技店情報に基づき、カードＣを遊技にて使用した遊技店が当該自遊技店であるか否かを判断する（Ｓ８）。
【００４０】
カードＣを遊技にて使用した遊技店が自遊技店であると判断した場合、第２遊技店情報に基づき、カードＣの発行，有価価値情報の追加記録が自遊技店にて行われたか否かを判断する（Ｓ９）。
【００４１】
発行，有価価値情報の追加記録が自遊技店にて行われたと判断した場合、カードＣに関する情報である第２カード情報を精算情報記憶装置２へ送信する（Ｓ１０）。
【００４２】
なお、期限情報に基づきカードＣが使用期限を超過していると判断された場合（Ｓ７）、カードＣを遊技にて使用した遊技店が自遊技店ではないと判断された場合（Ｓ８）、及び、発行，有価価値情報の追加記録が自遊技店にて行われたのではないと判断された場合（Ｓ９）は、カードＣに基づく精算は行わず、精算を行うことができない旨を第１表示手段１０３及び第２表示手段１０４にて表示し（Ｓ１２）、カード排出手段１０９によりカードＣを排出する（Ｓ１３）。
【００４３】
ステップ１０にて精算装置１から送信された第２カード情報は、精算情報記憶装置２にて受信される（Ｓ１１）。精算情報記憶装置２は、受信した第２カード情報に含まれる情報のうち、カードＣを識別するカードＩＤに基づきカードＩＤデータベース２４に記憶されている対象者情報を参照し（Ｓ１４）、カード識別プログラム２２ａを用いて精算に係るカードＣが会員用又は一般者用の何れであるか等を識別する（Ｓ１５）。
【００４４】
また、精算情報記憶装置２は、カードＣに何らかの不正が施されていないかを判断することができる不正判断プログラム２２ｂを用い、第２カード情報に基づきカードＣに関して不正判断を行う（Ｓ１６）。該不正判断と共に、精算情報データベース２５に記憶されているカードＣの過去における精算情報を参照し、例えば、カードＣへの入出金履歴における整合性の有無などを判断基準することによっても不正判断を行うことができる。
【００４５】
ステップ１６にて不正の存在が認められると判断された場合（Ｓ１７）、カードＣに何らかの不正が存在する旨、及び該不正が如何なる種類の不正であるかを示す不正情報を精算装置１へ送信する（Ｓ１８）。
【００４６】
不正情報を受信した精算装置１は（Ｓ１９）、不正の証拠となるカードＣをカード回収手段１１０によりカード回収ボックスへ回収し（Ｓ２０）、第２表示手段１０４、又は、第１表示手段１０３及び第２表示手段１０４にて不正情報の内容を表示する（Ｓ２１）。
【００４７】
ステップ１７にてカードＣに不正の存在が認められなかった場合、該カードＣが正当なカードであり、精算することが可能である旨を示す正当情報を送信する（Ｓ２２）。該正当情報を受信した精算装置１は（Ｓ２３）、第２表示手段１０４、又は、第１表示手段１０３及び第２表示手段１０４にて、カードＣに関して精算が可能である旨の表示を行う（Ｓ２４）。なお、前記正当情報には、カードＣが会員用であるか一般者用であるかを示す対象者情報が含まれている。
【００４８】
カードＣに関して精算を行うことが可能であり、ユーザの希望によって、カードＣに記録されている第１有価価値情報が示す有価価値の数値のうち、一部の有価価値のみを精算する旨の指示が、店員による操作手段１０５の操作に基づき入力された場合（Ｓ２５）、店員の操作手段１０５の操作に基づく精算希望数値の入力を受け付ける（Ｓ２６）。
【００４９】
ユーザが一部精算を希望しなかった後、又は、ユーザが一部精算を希望してステップ２６にて精算希望数値の入力を受け付けた後、精算装置１は、店員の操作手段１０５の操作に基づく精算の実行を示す精算指示を受け付ける（Ｓ２７）。
【００５０】
精算指示を受け付けた精算装置１は、第１有価価値情報を、精算する数値を差し引いた数値の有価価値を示す第２有価価値情報に書き換える（Ｓ２８）。第２有価価値情報は、第１有価価値情報が示す数値の有価価値を全て精算する場合は残高が０であることを示し、一部精算の場合には第１有価価値情報が示す数値から精算希望数値を差し引いた数値を示す。
【００５１】
ステップ２８にて第１有価価値情報から第２有価価値情報へカードＣの記録内容が書き換えられた場合、精算する有価価値の数値，精算日時，カードＩＤ，カードＣでの有価価値の記録に関する履歴情報などを含む精算情報が精算情報記憶装置２へ送信される（Ｓ２９）。精算情報を受信した精算情報記憶装置２は（Ｓ３０）は、該精算情報をカードＩＤに関連付けて精算情報データベース２５にて記憶する（Ｓ３１）。
【００５２】
また、ステップ２９にて精算情報を送信した精算装置１は、店員の操作手段１０５の操作によるレシートの出力指示があるか否かを判断する（Ｓ３２）。レシートの出力指示がある場合は、レシート出力手段１０６により紙面等に精算情報を印字して出力する（Ｓ３３）。また、レシートの出力指示がない場合、又はレシートを出力した場合、書き換えた第２有価価値情報、即ち精算後のカードＣの残高を、第１表示手段１０３及び第２表示手段１０４にて表示する（Ｓ３４）。
【００５３】
次にステップ２８にて有価価値情報の書き換えをした後の第２有価価値情報が示す有価価値の数値、即ち、精算後の残高が０であるか否かを判断する（Ｓ３５）。残高が０でない場合、カード排出手段１０９によりカードＣを排出し、カードＣに係る精算処理を終了する（Ｓ３７）。残高が０である場合、精算情報記憶装置２から受信した正当情報に含まれる対象者情報に基づき、カードＣが会員用であるか一般者用であるかを判断する（Ｓ３６）。カードＣが会員用である場合は該カードＣを排出し（Ｓ３７）、カードＣが一般者用である場合は、カード回収手段１１０によりカードＣを回収し（Ｓ３８）、該カードＣに係る精算処理を終了する。
【００５４】
また、ステップ６にて精算装置１が精算情報記憶装置２との間にてオンラインではない、即ちオフライン状態であると判断された場合、ステップ２にて読み込んだカードＣの第１カード情報内に未管理情報が含まれているか否かを判断する（Ｓ３９）。即ち、カードＣが、カード発行機３及び精算情報記憶装置２がオフライン状態であり、カードＣの発行又はカードＣへの有価価値情報の追加記録に関する情報が精算情報記憶装置２にて管理されていないものであるか否かを判断する。
【００５５】
ステップ３９にて未管理情報が第１カード情報内に含まれていると判断した場合、第１遊技店情報に基づき、遊技にて有価価値を使用した遊技店が自遊技店であるか否かを判断し（Ｓ４０）、自遊技店にて使用されていると判断した場合は更に、第２遊技店情報に基づき、カードＣの発行，有価価値情報の追加記録が自遊技店にて行われているか否かについて判断する（Ｓ４１）。
【００５６】
ステップ４１にて自遊技店にて行われていると判断した場合、精算装置１は前述したステップ２５以降の動作を行う。また、未管理情報が第１カード情報に含まれていないと判断した場合（Ｓ３９）、有価価値を使用した遊技店が自遊技店ではないと判断した場合（Ｓ４０）、又は、カードＣの発行，有価価値情報の追加記録が自遊技店にて行われていないと判断した場合（Ｓ４１）は、ステップ１２，１３の動作、即ち、第１表示手段１０３及び第２表示手段１０４にて精算を行うことができない旨の表示を行い（Ｓ１２）、カード排出手段１０９によりカードＣを排出する（Ｓ１３）。
【００５７】
本発明によれば、精算装置１及び精算情報記憶装置２が通信可能に接続されている場合にのみ、カードＣに記録されている第１有価価値情報に基づく精算を可能とし、該精算に関する精算情報を精算情報記憶装置２が記憶するため、精算情報記憶装置２に記憶された精算情報に基づき不正行為の検出が可能であり、カードＣ及び有価価値の使用状況の把握が容易である。
【００５８】
また、カードＣに記録されている第１遊技店情報に基づき、有価価値を使用した遊技店が自遊技店ではないカードＣを精算の対象から除外し、また、第２遊技店情報に基づき、カードＣの発行，有価価値情報の追加記録が自遊技店にて行われていないカードＣを精算の対象から除外し、カードＣに不正な処理が施される可能性を減少させて精算における不正行為を防止することができる。
【００５９】
また、精算装置１及び精算情報記憶装置２の間にて通信可能に接続されていない場合は、カードＣに記録された未管理情報を受け付けた場合にのみ、精算を可能とするため、例えば、遊技店が閉店処理を行っている際、即ち精算装置１及び精算情報記憶装置２がオフライン時に誤って入店したユーザがカード発行機３にてカードＣを購入した場合、当日該カードＣにて遊技できないにも拘わらず精算することもできないという問題を防止することができる。
【００６０】
また、カードＣに記録されている第１有価価値情報が示す数値の有価価値のうち、受け付けた精算希望数値の有価価値のみを精算するため、カードＣに記録されている有価価値のうち一部のみの精算を可能とすることができる。
【００６１】
また、精算に係る有価価値の数値を表示するため、精算に係る有価価値の数値等を容易に確認可能とし、精算する際のユーザ及び店員の間でのトラブルを防止することができる。
【００６２】
また、カードＣに記録されている期限情報に基づき、精算を行うか否かを判断するため、製造、発行から長期間を経たカードＣ、又は使用回数が多いカードＣ等に摩耗が生じて誤った精算が行われることを防止することができる。
【００６３】
また、カードＣに記録されている対象者情報が会員用を示しており、第１又は第２有価価値情報が示す数値が０である場合は前記カードＣを排出し、対象者情報が一般者用を示しており有価価値情報が示す数値が０である場合は前記カードＣを回収するため、残高がなくなった一般者用のカードＣに有価価値情報を記録するなどして不正処理が施されるのを防止し、精算に際して不正行為が行われることを防止することができる。
【００６４】
更に、精算した有価価値の数値、精算日時、識別情報、及びカードＣにおける入出金履歴のうち、少なくとも一つの情報をレシートとして出力するため、店員及びユーザによる精算の詳細確認を容易にし、カードＣの記録内容をユーザが誤認すること等による精算時のトラブルを防ぐことができる。
【００６５】
なお、本実施の形態では、精算装置１としてユーザが所持するカードＣを店員が精算装置１の取込口へ挿入して有価価値の精算を行う場合について説明したが、精算装置１を遊技店内の任意の位置に設置した場合は、取込口へのカードＣの挿入及び以降の操作手段１０５による操作をユーザ自身が行ってもよい。
【００６６】
また、特に会員用のカードＣの場合は、登録時にユーザへ暗証番号を付与し、精算装置１にて精算する際に暗証番号の入力を行うようにし、また、精算情報記憶装置２にて会員用のカードＣに関するカードＩＤ及び暗証番号の組合せを示す参照テーブルを備え、精算時に入力された暗証番号に基づき正規のユーザであるか否かの判断を行うことが望ましく、より不正な精算行為の防止に効果を奏することができる。
【００６７】
また、ステップ８，９においてカードＣの使用，発行、カードＣへの追加入金を行った遊技店が自遊技店であるか否かを判断するが、これと共に、使用，発行，追加入金を行った日が精算を行う日と同日であるか否かを判断し、同日である場合にのみ精算可能としてもよい。この場合、カードＣに不正な処理が施される可能性が更に低くなり、有価価値の精算におけるセキュリティの更なる向上が図れる。
【００６８】
また、遊技店がチェーン店の一つである場合、他のチェーン店にて発行，追加入金，使用が行われたカードＣであっても、当該遊技店にて精算の対象とすることができるようにしてもよい。この場合において、当該遊技店での精算前に、チェーン店にて扱われたカードであることを当該遊技店が証明する情報をカードＣへ記録し、該情報に基づきカードＣが精算対象となり得ることを判断すればよい。また、会員用のカードＣに、いわゆるプレミア（付加価値）が付与されている場合に、該付加価値を精算の対象とするか否かを選択できるようにしてもよい。
【００６９】
また、ステップ３６でのカードＣが会員用であるか一般者用であるかの判断など、カードＣに記録された情報に基づく判断は、精算情報記憶装置２にて行ってもよい。更に、本実施の形態は、本発明を実施する上での一例に過ぎず、請求項に記載した範囲内において他の実施の形態を構成することについて制限を与えるものではない。
【図面の簡単な説明】
【００７０】
【図１】本発明に係る精算管理システムの実施の形態を示すブロック図である。
【図２】本発明に係る精算装置の実施の形態を示すブロック図である。
【図３】精算情報記憶装置の実施の形態を示すブロック図である。
【図４】精算管理システムの動作を説明するためのフローチャートである。
【図５】精算管理システムの動作を説明するためのフローチャートである。
【図６】精算管理システムの動作を説明するためのフローチャートである。
【図７】精算管理システムの動作を説明するためのフローチャートである。
【符号の説明】
【００７１】
１  精算装置
２  精算情報記憶装置
３  カード発行機
２５  精算情報データベース
１０３  第１表示手段
１０４  第２表示手段
１０９  カード排出手段
１１０  カード回収手段
１１１  リーダ／ライタ
Ｃ  カード
ＲＥＣ  記録媒体
【図１】
2006061725.tif 000003
【図２】
2006061725.tif 000004
【図３】
2006061725.tif 000005
【図４】
2006061725.tif 000006
【図５】
2006061725.tif 000007
【図６】
2006061725.tif 000008
【図７】
2006061725.tif 000009